(57)【要約】【課題】  自立型の脚付きコンロでも、載せ台を必要とする脚無しコンロでも組み入れて使用することができ、且つ組立作業や携帯のための収納作業が簡単であるコンロテーブルを提供する。【解決手段】  中央に適宜大きさの孔部１３を設けた天板１、及び天板裏面に前記孔部に進出しない折り畳み脚を備えた親テーブルＡと、前記孔部に密嵌する大きさの天板３、及び天板裏面に親テーブルより短い折り畳み脚４を備えた子テーブルＢとで構成されると共に、孔部に子テーブル天板を嵌合した状態で両テーブルを固定する固定機構を付設してなる。【選択図】  図１
2005143776.tif 000002
【特許請求の範囲】
【請求項１】
中央に適宜大きさの孔部を設けた天板、及び天板下面に前記孔部に進出しない折り畳み脚を備えた親テーブルと、前記孔部に密嵌する大きさの天板、及び天板裏面に親テーブルより短い折り畳み脚を備えた子テーブルとで構成されると共に、孔部に子テーブル天板を嵌合した状態で両テーブルを固定する固定機構を付設してなることを特徴とするコンロ用テーブル。
【請求項２】
親テーブルの脚が子テーブルの脚長と同一高さに調整できる伸縮構造を備えてなる請求項１記載のコンロ用テーブル。
【請求項３】
略矩形の天板を採用した親テーブルの天板中央孔部を、略矩形とし、孔部長辺を親テーブル天板の短辺と略一致させてなる請求項２記載のコンロ用テーブル。
【請求項４】
親テーブルの天板中央孔部に内周壁を設けると共に、当該周壁の適宜箇所に螺孔を設け、子テーブルの天板を、天板部と天板部の外周に垂設した周壁部とで構成し、前記螺孔部に対応する位置に、下方が開口した係止溝を設け、係止溝を通して前記螺孔に螺合する蝶ネジで子テーブルを孔部内に固定してなる請求項１乃至３記載のいずれかのコンロ用テーブル。
【発明の詳細な説明】
【技術分野】
【０００１】
本発明はコンロ用テーブルに関するものである。
【背景技術】
【０００２】
テーブルの中央にコンロなどを配置するのに便利な所謂バーべキュー用テーブルは従前より種々の構造のものが提案されている。具体的には、単に天板中央に孔部を有するテーブルや、天板中央に孔部を備えると共に、孔部内にコンロ台を吊り下げ支持する構造のもの（特許文献１、２、３）等が知られている。
【０００３】
【特許文献１】特開平９−１０８０４０号公報。
【特許文献２】意匠登録１０５３５２３号公報。
【特許文献３】特開２００３−１９９６２９号公報。
【発明の開示】
【発明が解決しようとする課題】
【０００４】
ところで単に天板中央に孔部を設け、自立型の脚付きコンロの周囲に天板が配置されるコンロ用テーブルでは、脚付き以外のコンロの使用はできない。そしてコンロを使用しない場合に中央孔部が存在するために、必ずしもテーブルとして使い易いとは言い難い。
【０００５】
また中央に孔部を備え、孔部内にコンロ支持台を吊り下げ支持する構成のものにおいても、逆に脚付きコンロの使用が困難である。また前記のコンロ支持台でテーブル天板中央孔部を塞いで通常のテーブルとして使用することも出来るが、これらのテーブルは、折り畳み構造を採用しているために、吊り下げ支持台の組立作業や携帯のための収納作業が煩雑である。
【０００６】
そこで本発明は、親子テーブル方式を採用することで、使用コンロの制限がなく使い易い新規なコンロ用テーブルを提案したものである。
【課題を解決するための手段】
【０００７】
本発明に係るコンロ用テーブルは、中央に適宜大きさの孔部を設けた天板、及び天板裏面に前記孔部に進出しない折り畳み脚を備えた親テーブルと、前記孔部に密嵌する大きさの天板、及び天板裏面に親テーブルより短い折り畳み脚を備えた子テーブルとで構成されると共に、孔部に子テーブル天板を嵌合した状態で両テーブルを固定する固定機構を付設してなることを特徴とするものである。
【０００８】
従って親テーブルの孔部に子テーブルを固定すると、通常のテーブルとして使用され、子テーブルの固定を解除して孔部下方に子テーブル天板を位置せしめると、脚無しコンロの台テーブルとして使用でき、脚付きコンロを使用する場合には、子テーブルはサイドテーブルとして使用できる。
【０００９】
また親テーブルの脚を子テーブルの脚長と同一高さに調整できる伸縮構造を備えていたり、略矩形の天板を採用した親テーブルの天板中央孔部を略矩形とし、孔部長辺を親テーブル天板の短辺と略一致させてなる構成を採用すると、サイドテーブルとして使用した場合に、同一高さとなり、また親テーブルの短辺側に配置すると天板が連続したテーブルとして使用できる。
【発明の効果】
【００１０】
以上の構成の親子テーブルタイプのコンロ用テーブルにおいて、使用するコンロが自立する脚付きコンロでも、また載せ台を必要とする脚無しコンロでも使用でき、更に子テーブルの中央孔部への装着で通常のテーブルとして使用できると共に携帯に便利であり、更に子テーブルをサイドテーブルとして使用できるなど、簡単な構造で多様な使用形態を採用できたものである。
【発明を実施するための最良の形態】
【００１１】
次に本発明の実施形態について説明する。実施形態のコンロ用テーブルは、親テーブルＡと、子テーブルＢとで構成され、親テーブルＡは、天板１と、折り畳み脚２とで構成される。
【００１２】
天板１は、コーナー部分をＲ状とした矩形の天板部１１と、天板部１１の外周裏面側に突出した外周壁１２を備え、天板部１１の中央に、長辺が天板部１１の短辺と対応する矩形の孔部１３を設けると共に、孔部１３に内周壁１４を設け、当該内周壁１４の適宜箇所に螺孔を設け、螺孔に蝶ネジ１５を螺合してなる。また外周壁１２の適宜箇所に携帯用の持ち手１６を付設してなる。
【００１３】
折り畳み脚２は、周壁対向辺にＨ状脚杆２１の頂部を枢結して、さらに折り畳み支持杆２２を添設して、天板部１１の裏面に折り畳みを可能としたものである。またＨ状脚杆２１には、伸縮脚２３を継ぎ足してなるもので、折り畳み時に孔部１３に突出状態とならない構造とする。
【００１４】
子テーブルＢは、前記親テーブルＡの中央の孔部１３に密嵌する大きさの天板３、及び天板３の裏面に親テーブルＡの折り畳み脚２より短い折り畳み脚４を備えたもので、天板３は、天板部３１と、天板部３１の外周裏面側に突出した外周壁３２で構成され、蝶ネジ１５の螺合箇所（螺孔部）に対応する外周壁３２に、下方（裏面側）が開口した係止溝３３を設けてなる。
【００１５】
また子テーブルＢの折り畳み脚４は、周壁３２の対向辺にＨ状脚杆４１の頂部を枢結して、さらに折り畳み支持杆４２を添設して、天板部１１の裏面に折り畳みを可能とし、特にH状脚杆４１に対する継ぎ脚４３を天板部３１の裏面に設けた挟持収納部４４に装着収納するようにしてなる。
【００１６】
而して両テーブルＡ，Ｂは、一体にして携帯できるもので、携帯時には図２に示すように親テーブルＡの孔部１３に子テーブルＢの天板３を密嵌合し、係止溝３３内を通過する蝶ネジ１５を緊締することで、子テーブルＢが親テーブルＡに固定され両者が平板状に一体化し、持ち手１６を握持し携帯できるものである。
【００１７】
前記の両テーブルＡ，Ｂが一体化された状態で、親テーブルＡの折り畳み脚２を起立させると図３に示すように、通常のテーブルとして使用されるものである。
【００１８】
また蝶ネジ１５を緩めてテーブルＢを分離し、子テーブルＢの折り畳み脚４を起立させ、孔部１３の下方位置に配置して、子テーブルＢはコンロ載せ台として使用するもので、脚無しコンロＣを載置し、両テーブルを組み合わせてコンロ用テーブルとして機能するものである（図４参照）。
【００１９】
次に自立タイプの脚付きコンロＤを使用する場合には、図５に例示するとおり、脚付きコンロＤを孔部１３内に配置すると、コンロ用テーブルとして機能するものであり、特に折り畳み脚２に伸縮機能を有せしめ、使用する脚付きコンロＤの高さに対応してテーブルの高さを調整すると良い。
【００２０】
また子テーブルＢは、サイドテーブルとして使用することができ、特に親テーブルＡの高さを子テーブルＢの高さと一致させ、親テーブルの短辺側に配置すると、親子テーブルの天板が連続した状態で使用することができる。
【００２１】
尚本発明は前記実施形態に限定されるものではなく、蝶ネジ１５と係止溝３３の組み合わせ以外にもその他の着脱機能を発揮する構造であれば任意の構造を採用できるし、また孔部の形状や大きさも市販のコンロの大きさを考慮して任意に定められるものである。
【図面の簡単な説明】
【００２２】
【図１】本発明の全体斜視図。
【図２】同携帯時の状態を示す背面図。
【図３】同使用状態の説明図（テーブル使用）。
【図４】同使用状態の説明図（子テーブルをコンロ台として使用）。
【図５】同使用状態の説明図（子テーブルをサイドテーブルとして使用）。
【符号の説明】
【００２３】
Ａ        親テーブル
１        天板
１１      天板部
１２      外周壁
１３      孔部
１４      内周壁
１５      蝶ネジ
１６      持ち手
２        折り畳み脚
２１      Ｈ状脚杆
２２      折り畳み支持杆
２３      伸縮脚
Ｂ        子テーブル
３        天板
３１      天板部
３２      外周壁
３３      係止溝
４        折り畳み脚
４１      Ｈ状脚杆
４２      折り畳み支持杆
４３      継ぎ脚
４４      挟持収納部
Ｃ        脚無しコンロ
Ｄ        脚付きコンロ
【図１】
2005143776.tif 000003
【図２】
2005143776.tif 000004
【図３】
2005143776.tif 000005
【図４】
2005143776.tif 000006
【図５】
2005143776.tif 000007